(57)【要約】      （修正有）【課題】健康具としての特性を十分発揮でき装飾性にも優れたペット用の健康首輪を提供する。【解決手段】多数の球形の鉱石を紐でつなげて、それが離脱しないように２枚の帯状のベルトに球形の鉱石使用個数分、球形の鉱石よりも若干小さめの孔をあけ、球形の鉱石が２枚の帯状のベルトにあけた孔の表裏から少し飛び出すように孔の中に鉱石を設置し、２枚の帯状のベルトを重ね合わせて球形の鉱石を固定し、便宜上の金具を設ける。【選択図】図２
0003162231.tif 000002
【実用新案登録請求の範囲】
【請求項１】
（１）多数の球形の鉱石を紐でつなげて、それが離脱しないように２枚の帯状のベルトに球形の鉱石使用個数分、球形の鉱石よりも若干小さめの孔をあけ、球形の鉱石が２枚の帯状のベルトにあけた孔の表裏から少し飛び出すように孔の中に鉱石を設置し、２枚の帯状のベルトを重ね合わせて球形の鉱石を固定し、便宜上の金具を設けて構成されるペット用の健康首輪。
【考案の詳細な説明】
【技術分野】
【０００１】  ペット用の首輪に関するものである。
【背景技術】
【０００２】  従来のペットの健康具として利用されてきた健康首輪は、健康材としてチタンやゲルマニウムなどを粉状粉砕にした素材をシリコーンゴムや布素材に含有させ使用したものや磁石を首輪の裏面に付着させ使用したものである。（実開平０７−０１７０５１）（実登３００７０１９）また、首輪に装飾性を持たせるために鉱石やビーズ等を首輪表面に打錠してある首輪が一般的である。【０００３】
【特許文献】  実登３００７０１９  実開平０７−０１７０５１
【考案の概要】
【考案が解決しようとする課題】
【０００４】  従来のペットの健康具として利用されてきた首輪は、チタンやゲルマニウムなどを粉状に粉砕した素材をシリコーンゴムや布素材に含有させ使用したものがほとんどであり、その使用素材を確認することができなかったり、十分な量のチタンやゲルマニウムなどを布やシリコーン等のゴムに含有させることができないことから健康具としての効果が不十分であったりまたは形状上、散歩紐をつなぐことができなかったりと必ずしも健康首輪としての特性を生かし切れていない。また、鉱石やビーズ等を首輪表面に打錠したものは健康材としてではなくあくまでも首輪に装飾性を持たせるためのみに利用されてきた。健康材として磁石を使用した考案は存在するが（実開平０７−０１７０５１）（実登３００７０１９）、健康材として首輪裏面のみに磁石を付着し表面からは磁石を確認することはできていない。
【課題を解決するための手段】
【０００５】多数の球形の鉱石を紐でつなげて、それが離脱しないように２枚の帯状のベルトに球形の鉱石使用個数分、球形の鉱石よりも若干小さめの孔をあけ、球形の鉱石が２枚の帯状のベルトにあけた孔の表裏から少し飛び出すように孔の中に鉱石を設置し、２枚の帯状のベルトを重ね合わせて球形の鉱石を固定し、便宜上の金具を設けて構成されるペット用の健康首輪。
【考案の効果】
【０００６】  本考案にかかるペット用の健康首輪は、健康材として使用する鉱石を十分な量使用でき、鉱石の持つ遠赤外線やマイナスイオンといった健康効果を高めることができる。鉱石を表裏両面から視覚的に確認でき、健康材としての効果と装飾性をあわせもった健康首輪を形成することができる。またこの考案を利用することで強度も保たれ、散歩紐もつなぐことができるなど多くの利点を持った考案である。
【図面の簡単な説明】
【０００７】
【図１】  本考案を示した全体図である。
【図２】  本考案を示した斜視図である。
【図３】  本考案を示した分解図である。
【図４】  本考案を示した部分図である。
【図５】  本考案を示した拡大断面図である。
【考案を実施するための形態】
【０００８】  以下、図面に基づいて本考案の好ましい実施の形態を説明する。
図１、図２は本考案にかかるペット用健康首輪の全体図である。図１、図２に示す首輪に設置固定する球形の鉱石１の材質や大きさは特に限定されないが、通常は天然鉱石の球形の丸玉で３ｍｍ〜１５ｍｍ程度の大きさのものが用いられる。球形の鉱石の中心部には１ｍｍから２ｍｍ程度の貫通穴が開いたものが用いられる。また、首輪の土台となるベルト部分２の径、長さ、素材は特に限定されないが、その適応範囲や、球形の丸玉の形状、デザインにより適宜選択することができる。通常は長さが２０ｃｍ〜８０ｃｍ、直径が８ｍｍ〜４０ｍｍ程度、素材は本革または合皮を使用する。球形の鉱石１が首輪の表面、裏面両方から少し飛び出すように設置固定させ便宜上の金具をつけて本品を形成する。
以後首輪の土台となるベルト部分２に球形の鉱石１を装着する方法について図３に基づいて詳しく説明する。使用する球形の鉱石１の健康効果を得ようとするためには首輪裏面に球形の鉱石１が少し飛び出すように設置固定されていなくてはならない。また健康材としての素材としてだけではなく装飾性も持ち合わせるためには表面にも球形の鉱石１が少し飛び出すように設置固定されていなくてはならない。そのためこの考案では首輪の土台となるベルト部分２において本革または合皮等のベルト素材２枚貼り合わせて形成する方法をとる。製造の工程であるが、まずは首輪の表側の土台となるベルト部分３、首輪の裏側の土台となるベルト部分４の長さを均等に整え、球形の鉱石１の大きさに合わせ球形の鉱石１を固定する孔を表側の土台となるベルト部分３、首輪の裏側の土台となるベルト部分４に均等になるよう球形の鉱石１の使用個数分孔をあけ両面貫通させる。孔をあける際は使用する球形の鉱石よりも若干小さめの孔をあけるのが望ましい。首輪の表側の土台となるベルト部分３、首輪の裏側の土台となるベルト部分４を貼りあわせ、孔に球形の鉱石１を設置固定するわけだが、球形の鉱石１を入れて接着材等で設置固定するだけでは球形の鉱石１が簡単に取れてしまう為、球形の鉱石１の中心に予め開けて置いた１ｍｍから２ｍｍ程度の貫通穴に、ナイロン等の紐やワイヤー５を通しつなげてから首輪の裏側の土台となるベルト部分４の孔に球形の鉱石１を設置する。使用するナイロン等の紐やワイヤー５は伸縮性がなく強固なものを使用するのが望ましい。球形の鉱石１のすべての設置が終わったらナイロン等の紐やワイヤー５を裁縫や接着などの方法で首輪の裏側の土台となるベルト部分４にしっかりと固定する。そのあと首輪の表側の土台となるベルト部分３を上から被せ、首輪の裏側の土台となるベルト部分４と貼り合わせる。この際、球形の鉱石１が首輪の表側の土台となるベルト部分３にあけた孔および首輪の裏側の土台となるベルト部分４にあけた孔から少し飛び出すようにしっかりと設置固定させる。球形の鉱石１の飛び出し具合は首輪の表側の土台となるベルト部分３、首輪の裏側の土台となるベルト部分４の厚さで調整することができる。貼り合わせの際には接着剤等を利用して表側の土台となるベルト部分３と首輪の裏側の土台となるベルト部分４をしっかりと貼り合わせ、また縫い合わせる。これで球形の鉱石１の設置固定が完了する。これに首輪として使用するために便宜上の金具等を組み合わせペット用健康首輪は完成する。首輪の表裏両面から球形の鉱石１を視覚的に確認でき、なおかつ装飾性に優れ、形状、強度も安定するため散歩紐をつなげることができる健康首輪の完成である。
【産業上の利用可能性】
【０００９】この考案はペット用の健康首輪だけではなく、ブレスレット等の装飾具にも利用可能である。
【符号の説明】
【００１０】１．球形の鉱石
２．首輪の土台となるベルト部分（首輪の表側の土台となるベルト部分と首輪の裏側の土台となるベルト部分を貼り合わせた状態のもの）
３．首輪の表側の土台となるベルト部分
４．首輪の裏側の土台となるベルト部分
５．ナイロン等の紐やワイヤー
【図１】
0003162231.tif 000003
【図２】
0003162231.tif 000004
【図３】
0003162231.tif 000005
【図４】
0003162231.tif 000006
【図５】
0003162231.tif 000007